(57)【特許請求の範囲】
【請求項１】
装置であって、
同時に送られる複数のキャリアアグリゲートされた送信信号の複数の同相（Ｉ）成分および直交（Ｑ）成分に基づいて単一の電力トラッキング信号を決定するように構成された電力トラッカーと、ここにおいて、前記電力トラッカーは、前記複数のキャリアアグリゲートされた送信信号に対応する前記複数のＩ成分およびＱ成分を受信し、および前記複数のＩ成分およびＱ成分の組み合わせに基づいて前記単一の電力トラッキング信号を生成し、ここにおいて、前記複数のキャリアアグリゲートされた送信信号は、直交周波数分割多重（ＯＦＤＭ）信号またはシングルキャリア周波数分割多元接続（ＳＣ−ＦＤＭＡ）信号を備え、
前記単一の電力トラッキング信号に基づいて単一の電力供給電圧を生成するように構成された電力供給ジェネレータと、および
単一の出力無線周波数（ＲＦ）信号を生成するために同時に送られる前記複数のキャリアアグリゲートされた送信信号および前記単一の電力供給電圧を受信するように構成された電力増幅器と、
を備える、装置。
【請求項２】
前記電力トラッカーは、
前記複数の送信信号の前記Ｉ成分およびＱ成分に基づいて前記複数の送信信号の全体の電力を決定することと、
前記複数の送信信号の前記全体の電力に基づいて前記電力トラッキング信号を決定することと、
を行うように構成される、請求項１に記載の装置。
【請求項３】
前記電力トラッカーは、
前記送信信号のＩ成分およびＱ成分に基づいて前記複数の送信信号における各送信信号の電力を決定することと、
前記複数の送信信号の電力に基づいて前記電力トラッキング信号を決定することと、
を行うように構成される、請求項１に記載の装置。
【請求項４】
前記電力トラッカーは、
前記送信信号のＩ成分およびＱ成分に基づいて前記複数の送信信号における各送信信号の電力を決定することと、
前記送信信号の前記電力に基づいて各送信信号の電圧を決定することと、
前記複数の送信信号の電圧に基づいて前記電力トラッキング信号を決定することと、
を行うように構成される、請求項１に記載の装置。
【請求項５】
前記複数の送信信号の前記Ｉ成分およびＱ成分を受信し、複数のアップコンバートされたＲＦ信号を提供するように構成された複数の送信回路と、ここで、各送信回路は、前記複数の送信信号のうちの１つの信号のＩ成分およびＱ成分をアップコンバートし、対応するアップコンバートされたＲＦ信号を提供するように構成される、
前記複数のアップコンバートされたＲＦ信号を合計し、変調されたＲＦ信号を提供するように構成された加算器と
をさらに備える、請求項１に記載の装置。
【請求項６】
前記複数の送信信号についての変調された中間周波数（ＩＦ）信号を受信し、変調されたＲＦ信号を提供するように構成された送信回路
をさらに備え、
前記変調されたＩＦ信号は、前記複数の送信信号の前記Ｉ成分およびＱ成分に基づいて生成される、
請求項１に記載の装置。
【請求項７】
前記電力供給ジェネレータは、
前記電力トラッキング信号を受信し、前記電力供給電圧を生成するように構成された電力トラッキング増幅器
を備える、請求項１に記載の装置。
【請求項８】
前記電力供給ジェネレータはさらに、
前記電力トラッキング増幅器からの第１の電流を感知し、前記感知された第１の電流に基づいて前記電力供給電圧のために第２の電流を提供するように構成されたスイッチャ
を備える、請求項７に記載の装置。
【請求項９】
前記電力供給ジェネレータはさらに、
バッテリ電圧を受信し、前記電力トラッキング増幅器のためにブーストされた電圧を提供するように構成されたブーストコンバータ
を備える、請求項７に記載の装置。
【請求項１０】
前記電力トラッキング増幅器は、前記ブーストされた電圧または前記バッテリ電圧に基づいて動作する、請求項９に記載の装置。
【請求項１１】
前記複数の送信信号は、異なる周波数において複数のキャリア上で送られる、請求項１に記載の装置。
【請求項１２】
前記電力トラッキング信号は、前記複数のキャリアの全体の帯域幅よりも小さい帯域幅を有する、請求項１１に記載の装置。
【請求項１３】
方法であって、
同時に送られる複数のキャリアアグリゲートされた送信信号の複数の同相（Ｉ）成分および直交（Ｑ）成分に基づいて単一の電力トラッキング信号を決定することと、ここにおいて、電力トラッカーは、前記複数のキャリアアグリゲートされた送信信号に対応する前記複数のＩ成分およびＱ成分を受信し、および前記複数のＩ成分およびＱ成分の組み合わせに基づいて前記単一の電力トラッキング信号を生成し、ここにおいて、前記複数のキャリアアグリゲートされた送信信号は、直交周波数分割多重（ＯＦＤＭ）信号またはシングルキャリア周波数分割多元接続（ＳＣ−ＦＤＭＡ）信号を備え、
前記単一の電力トラッキング信号に基づいて単一の電力供給電圧を生成することと、および
電力増幅器において同時に送られる前記複数のキャリアアグリゲートされた送信信号および前記単一の電力供給電圧を受信することと、および単一の出力無線周波数（ＲＦ）信号を生成することと、
を備える、方法。
【請求項１４】
変調されたＲＦ信号を生成することは、
対応するアップコンバートされたＲＦ信号を得るために、前記複数の送信信号の各々のＩ成分およびＱ成分をアップコンバートすることと、
前記変調されたＲＦ信号を得るために、前記複数の送信信号についての複数のアップコンバートされたＲＦ信号を合計することと
を備える、請求項１３に記載の方法。
【請求項１５】
少なくとも１つのコンピュータに、請求項１３乃至１４のうちのいずれか１項の方法を実行することを行わせるためのコード
を備えるコンピュータ読取可能記憶媒体。
【発明の詳細な説明】
【関連出願の相互参照】
【０００１】
[0001]  本願は、２０１３年２月１１日に出願された米国特許非仮出願公開第１３／７６４，３２８号に対する優先権を主張し、その内容は、あらゆる目的のためにその全文が参照により本明細書に組み込まれている。
【技術分野】
【０００２】
[0002]  本開示は、一般に、エレクトロニクスに関し、より具体的には、増幅器などの回路のために電力供給電圧（a power supply voltage）を生成するための技法に関する。
【背景技術】
【０００３】
[0003]  ワイヤレス通信システムにおけるワイヤレスデバイス（例えば、セルラフォンまたはスマートフォン）は、双方向通信のためにデータを送信および受信し得る。ワイヤレスデバイスは、データ送信のための送信機と、データ受信のための受信機とを含み得る。データ送信について、送信機は、出力サンプルを生成するためにデータを処理（例えば、符号化および変調）し得る。送信機はさらに、変調された無線周波数（ＲＦ：radio frequency）信号を生成するために出力サンプルを調整（例えば、アナログへの変換、フィルタリング、増幅、および周波数アップコンバート）し、適切な出力電力レベルを有する出力ＲＦ信号を得るために、変調されたＲＦ信号を増幅し、アンテナを介して基地局に出力ＲＦ信号を送信し得る。データ受信について、受信機は、アンテナを介して受信されたＲＦ信号を得ることができ、基地局によって送られたデータを回復させるために受信されたＲＦ信号を増幅および処理し得る。
【０００４】
[0004]  送信機は通常、出力ＲＦ信号のために高い送信電力を提供するための電力増幅器（ＰＡ）を含む。電力増幅器は、高い送信電力を提供することが可能であるべきであり、高い電力付加効率（power-added efficiency）（ＰＡＥ）を有するべきである。
【発明の概要】
【０００５】
[0005]  本明細書では、同時に送られる複数の送信信号を処理する回路（例えば、電力増幅器）のために電力トラッキング供給電圧（a power tracking supply voltage）を生成するための技法が開示される。複数の送信信号は、異なる周波数において複数のキャリア上で同時に送られる送信を備え得る。
【０００６】
[0006]  １つの例示的な設計では、装置は、電力トラッカー（a power tracker）および電力供給ジェネレータ（a power supply generator）を含む。下記で説明されるように、電力トラッカーは、同時に送られる複数の送信信号の同相（inphase）（Ｉ）成分および直交（quadrature）（Ｑ）成分に基づいて電力トラッキング信号（a power tracking signal）を決定する。電力供給ジェネレータは、電力トラッキング信号に基づいて電力供給電圧を生成する。装置はさらに、電力供給電圧に基づいて、変調されたＲＦ信号を増幅し、出力ＲＦ信号を提供する電力増幅器を含む。
【０００７】
[0007]  本開示の様々な態様および特徴が、下記でさらに詳細に説明される。
【図面の簡単な説明】
【０００８】
【図１】[0008]  図１は、ワイヤレスシステムと通信するワイヤレスデバイスを示す。
【図２Ａ】[0009]  図２Ａは、キャリアアグリゲーションの一例を示す。
【図２Ｂ】図２Ｂは、キャリアアグリゲーションの一例を示す。
【図２Ｃ】図２Ｃは、キャリアアグリゲーションの一例を示す。
【図２Ｄ】図２Ｄは、キャリアアグリゲーションの一例を示す。
【図３】[0010]  図３は、図１におけるワイヤレスデバイスのブロック図を示す。
【図４】[0011]  図４は、各送信信号についての別個の電力トラッキングを用いた別個の電力増幅器を備える送信モジュールを示す。
【図５】[0012]  図５は、全ての送信信号についての電力トラッキングを用いた単一の電力増幅器を備える送信モジュールの一設計を示す。
【図６】図６は、全ての送信信号についての電力トラッキングを用いた単一の電力増幅器を備える送信モジュールの一設計を示す。
【図７Ａ】[0012]  図７Ａは、２つの送信信号についての電力トラッキングを示す。
【図７Ｂ】図７Ｂは、３つの送信信号についての電力トラッキングを示す。
【図８】[0014]  図８は、電力トラッキングを用いた電力供給ジェネレータの一設計を示す。
【図９】図９は、電力トラッキングを用いた電力供給ジェネレータの一設計を示す。
【図１０】[0010]  図１０は、電力トラッキングを用いて電力供給電圧を生成するための処理を示す。
【発明を実施するための形態】
【０００９】
[0016]  「例示的（exemplary）」という用語は、本明細書では、「例、実例、または例示を提供する」という意味で使用される。「例示的」なものとして本明細書で説明される任意の設計は、必ずしも、他の設計よりも好ましい、または有利なものと解釈されるべきではない。
【００１０】
[0017]  本明細書において、同時に送信される複数の送信信号を処理する回路（例えば、電力増幅器）に電力トラッキング供給電圧を生成するための技法が開示される。本技法は、ワイヤレス通信デバイスなどの様々な電子デバイスのために使用され得る。
【００１１】
[0018]  図１は、ワイヤレス通信システム１２０と通信するワイヤレスデバイス１１０を示す。ワイヤレスシステム１２０は、ロングタームエボリューション（ＬＴＥ）システム、符号分割多元接続（ＣＤＭＡ）システム、移動通信のためのグローバルシステム（ＧＳＭ（登録商標））システム、ワイヤレスローカルエリアネットワーク（ＷＬＡＮ）システム、またはいくつかの他のワイヤレスシステムであり得る。ＣＤＭＡシステムは、広帯域ＣＤＭＡ（ＷＣＤＭＡ（登録商標））、ＣＤＭＡ １Ｘ、時分割同期ＣＤＭＡ（ＴＤ−ＳＣＤＭＡ）、またはＣＤＭＡのいくつかの他のバージョンを実装し得る。単純化のために、図１は、２つの基地局１３０および１３２、並びに１つのシステムコントローラ１４０を含む、ワイヤレスシステム１２０を示す。一般に、ワイヤレスシステムは、任意の数の基地局および任意のネットワークエンティティのセットを含み得る。
【００１２】
[0019]  ワイヤレスデバイス１１０はまた、ユーザ機器（ＵＥ）、移動局、端末、アクセス端末、加入者ユニット、局などとも呼ばれ得る。ワイヤレスデバイス１１０は、セルラフォン、スマートフォン、タブレット、ワイヤレスモデム、携帯情報端末（ＰＤＡ）、ハンドヘルドデバイス、ラップトップコンピュータ、スマートブック、ネットブック、コードレスフォン、ワイヤレスローカルループ（ＷＬＬ）局、ブルートゥース（登録商標）デバイスなどであり得る。ワイヤレスデバイス１１０は、ワイヤレスシステム１２０と通信することが可能であり得る。ワイヤレスデバイス１１０はまた、放送局（例えば、放送局１３４）からの信号、１つまたは複数のグローバルナビゲーション衛星システム（ＧＮＳＳ）における衛星（例えば、衛星１５０）からの信号等を受信することも可能であり得る。ワイヤレスデバイス１１０は、ＬＴＥ、ＷＣＤＭＡ、ＣＤＭＡ １Ｘ、ＴＤ−ＳＣＤＭＡ、ＧＳＭ、８０２. １１などのワイヤレス通信のための１つまたは複数の無線技術をサポートし得る。
【００１３】
[0020]  ワイヤレスデバイス１１０は、１０００メガヘルツ（ＭＨｚ）よりも低い周波数をカバーする低帯域（ＬＢ：low-band）、１０００メガヘルツＭＨｚから２３００ＭＨｚまでの周波数をカバーする中帯域（ＭＢ：mid-band）、および／または２３００ＭＨｚよりも高い周波数をカバーする高帯域（ＨＢ：high-band）で動作することができ得る。例えば、低帯域は、６９８から９６０ＭＨｚをカバーし、中帯域は、１４７５から２１７０ＭＨｚをカバーし、高帯域は、２３００から２６９０ＭＨｚおよび３４００から３８００ＭＨｚをカバーし得る。低帯域、中帯域、および高帯域は、帯域の３つのグループ（または帯域グループ）を指し、各帯域グループは、多数の周波数帯域（または、単に「帯域」）を含む。各帯域は、２００ＭＨｚまでカバーし、１つまたは複数のキャリアを含み得る。各キャリアは、ＬＴＥにおいて２０ＭＨｚまでをカバーし得る。ＬＴＥリリース１１（LTE Release 11）は、３５の帯域をサポートし、それらはＬＴＥ／ＵＭＴＳ帯域とも呼ばれ、３ＧＰＰ ＴＳ３６.１０１に記載されている。
【００１４】
[0021]  ワイヤレスデバイス１１０は、複数のキャリア上での動作である、キャリアアグリゲーションをサポートし得る。キャリアアグリゲーションは、マルチキャリア動作とも呼ばれ得る。ワイヤレスデバイス１１０は、ＬＴＥリリース１１において１つまたは２つの帯域において５つ以下のキャリアで構成され得る。
【００１５】
[0022]  一般に、キャリアアグリゲーション（ＣＡ）は、帯域内ＣＡおよび帯域間ＣＡ（intra-band CA and inter-band CA）の２種類に分類されることができる。帯域内ＣＡは、同一の帯域内の複数のキャリア上の動作を指す。帯域間ＣＡは、異なる帯域における複数のキャリア上の動作を指す。
【００１６】
[0023]  図２Ａは、連続的な（contiguous）帯域内ＣＡの一例を示す。図２Ａに示される例では、ワイヤレスデバイス１１０は、低帯域における１つの帯域内の３つの連続的なキャリアで構成される。ワイヤレスデバイス１１０は、同じ帯域内の３つの連続的なキャリア上で送信を送るおよび／または受信し得る。
【００１７】
[0024]  図２Ｂは、不連続的な（non-contiguous）帯域内ＣＡの一例を示す。図２Ｂに示される例では、ワイヤレスデバイス１１０は、低帯域における１つの帯域内の３つの不連続的なキャリアで構成される。キャリアは、５ＭＨｚ、１０ＭＨｚ、またはいくつかの他の数量で分割され得る。ワイヤレスデバイス１１０は、同じ帯域内の３つの不連続的なキャリア上で送信を送るおよび／または受信し得る。
【００１８】
[0025]  図２Ｃは、同じ帯域グループにおける帯域間ＣＡの一例を示す。図２Ｃに示される例では、ワイヤレスデバイス１１０は、低帯域における２つの帯域内の３つのキャリアで構成される。ワイヤレスデバイス１１０は、同じ帯域グループ内の異なる帯域において３つのキャリア上で送信を送るおよび／または受信し得る。
【００１９】
[0026]  図２Ｄは、異なる帯域グループにおける帯域間ＣＡの一例を示す。図２Ｄに示される例では、ワイヤレスデバイス１１０は、異なる帯域グループにおける２つの帯域内の３つのキャリアで構成され、それは低帯域における１つの帯域内の２つのキャリア、および中帯域における別の帯域内の１つのキャリアを含む。ワイヤレスデバイス１１０は、異なる帯域グループにおいて異なる帯域内の３つのキャリア上で送信を送るおよび／または受信し得る。
【００２０】
[0027]  図２Ａから図２Ｄは、キャリアアグリゲーションの４つの例を示す。キャリアアグリゲーションはまた、帯域および帯域グループの他の組み合わせに対してもサポートされ得る。
【００２１】
[0028]  図３は、図１におけるワイヤレスデバイス１１０の例示的な設計のブロック図を示す。この例示的な設計では、ワイヤレスデバイス１１０は、データプロセッサ／コントローラ３１０、一次アンテナ３９０に結合されたトランシーバ３２０、および二次アンテナ３９２に結合されたトランシーバ３２２を含む。トランシーバ３２０は、複数の帯域、キャリアアグリゲーション、複数の無線技術などをサポートするために、Ｋ個の送信機３３０ｐａ−３３０ｐｋ、Ｌ個の受信機３８０ｐａ−３８０ｐｌよびアンテナインターフェース回路３７０を含む。ＫおよびＬは各々、１またはそれ以上の任意の整数値であり得る。トランシーバ３２２は、複数の帯域、キャリアアグリゲーション、複数の無線技術、受信ダイバーシティ、多入力多出力（ＭＩＭＯ）送信などをサポートするために、Ｍ個の送信機３３０ｓａ−３３０ｐｍ、Ｎ個の受信機３８０ｓａ−３８０ｓｎ、およびアンテナインターフェース回路３７２を含む。ＭおよびＮは各々、１またはそれ以上の任意の整数値であり得る。
【００２２】
[0029]  図３に示される例示的な設計では、各送信機３３０は、送信回路３４０、および電力増幅器（ＰＡ）３６０を含む。データ送信について、データプロセッサ３１０は、変調シンボルを得るために送信されるべきデータを処理する（例えば、符号化およびシンボルマッピング）。データプロセッサ３１０はさらに、（例えば、ＯＦＤＭ、ＳＣ−ＦＤＭＡ、ＣＤＭＡ、またはいくつかの他の変調技法のために）変調シンボルを処理し、ワイヤレスデバイス１１０によって送られるべき各送信信号のためのＩサンプルおよびＱサンプルを提供する。送信信号は、１つまたは複数のキャリア上の送信、１つまたは複数の周波数チャネル上の送信などを備える信号である。データプロセッサ３１０は、１つまたは複数の選択された送信機に１つまたは複数の送信信号についてのＩサンプルおよびＱサンプルを提供する。下記の説明では、送信機３３０ｐａが１つの送信信号を送るために選択された送信機であると仮定する。送信機３３０ｐａ内で、送信回路３４０ｐａは、ＩサンプルおよびＱサンプルをＩアナログ出力信号およびＱアナログ出力信号にそれぞれ変換する。送信回路３４０ｐａはさらに、Ｉアナログ出力信号およびＱアナログ出力信号を増幅し、フィルタリングし、またＩアナログ出力信号およびＱアナログ出力信号をベースバンドからＲＦへアップコンバートし、変調されたＲＦ信号を提供する。送信回路３４０ｐａは、デジタル−アナログコンバータ（ＤＡＣ）、増幅器、フィルタ、ミキサ、マッチング回路、発振器、局部発振器（ＬＯ）ジェネレータ、位相ロックループ（ＰＬＬ）などを含み得る。ＰＡ ３６０ｐａは、変調されたＲＦ信号を受信および増幅し、適切な送信電力レベルを有する出力ＲＦ信号を提供する。出力ＲＦ信号は、アンテナインターフェース回路３７０を通ってルーティングされ、アンテナ３９０を介して送信される。アンテナインターフェース回路３７０は、１つまたは複数のフィルタ、デュプレクサ、ダイプレクサー（diplexers）、スイッチ、マッチング回路、方向性カプラ−（directional couplers）などを含み得る。トランシーバ３２０および３２２内の各残りの送信機３３０は、送信機３３０ｐａと同様の方法で動作し得る。
【００２３】
[0030]  図３に示される例示的な設計では、各受信機３８０は、低雑音増幅器（ＬＮＡ）３８２および受信回路３８４を含む。データ受信のために、アンテナ３９０は基地局および／または他の送信機局から信号を受信し、受信されたＲＦ信号を提供し、それはアンテナインターフェース回路３７０を通ってルーティングされ、選択された受信機に提供される。下記の説明では、受信機３８０ｐａが選択された受信機であると仮定する。受信機３８０ｐａ内で、ＬＮＡ ３８２ｐａは、受信されたＲＦ信号を増幅し、増幅されたＲＦ信号を提供する。受信回路３８４ｐａは、増幅されたＲＦ信号をＲＦからベースバンドへダウンコンバートし、ダウンコンバートされた信号を増幅およびフィルタリングし、またデータプロセッサ３１０にアナログ出力信号を提供する。受信回路３８４ｐａは、ミキサ、フィルタ、増幅器、マッチング回路、発振器、ＬＯ発振器、ＰＬＬなどを含み得る。トランシーバ３８０および３２０内の各残りの受信機３８０は、受信機３８０ｐａと同様の方法で動作し得る。
【００２４】
[0031]  図３は、送信機３３０および受信機３８０の例示的な設計を示す。送信機および受信機はまた、フィルタ、マッチング回路などの、図３で示されていない他の回路を含み得る。トランシーバ３２０および３２２の全てまたは一部は、１つまたは複数のアナログ集積回路（ＩＣ）、ＲＦ ＩＣ（ＲＦＩＣ）、混合信号ＩＣなどで実装され得る。例えば、送信回路３４０、ＬＮＡ ３８２、および受信回路３８４は、１つのモジュール上で実装され得、それはＲＦＩＣなどであり得る。アンテナインターフェース回路３７０および３７２、並びにＰＡ ３６０は、別のモジュールで実装され得、それは、ハイブリッドモジュールなどであり得る。トランシーバ３２０および３２２内の回路はまた、他の方法でも実装され得る。
【００２５】
[0032]  データプロセッサ／コントローラ３１０は、ワイヤレスデバイス１１０のために様々な機能を実行し得る。例えば、データプロセッサ３１０は、送信機３３０を介して送信されるデータ、および受信機３８０を介して受信されるデータのための処理を行い得る。コントローラ３１０は、送信回路３４０、ＰＡ ３６０、ＬＮＡ ３８２、受信回路３８４、アンテナインターフェース回路３７０および３７２、またはこれらの組み合わせの動作を制御し得る。メモリ３１２は、データプロセッサ／コントローラ３１０のためのプログラムコードおよびデータを記憶し得る。データプロセッサ／コントローラ３１０は、１つまたは複数の特定用途向け集積回路（ＡＳＩＣ）および／または他のＩＣ上で実装され得る。
【００２６】
[0033]  ワイヤレスデバイス１１０は、複数の送信信号を同時に送り得る。１つの設計では、複数の送信信号は、例えば、図２Ａまたは２Ｂにおいて示されるような、帯域内ＣＡでの複数の連続的なまたは不連続的なキャリア上の送信のためのものであり得る。例えば、各送信信号は、１つのキャリア上で送られる送信を備える。別の設計では、複数の送信信号は、同じワイヤレスシステムへの複数の周波数チャネル上の送信のためのものであり得る。さらに別の設計では、複数の送信信号は、異なるワイヤレスシステム（例えば、ＬＴＥおよびＷＬＡＮ）に送られる送信のためのものであり得る。いくつかの場合には、各送信信号において送られるデータは、その送信信号についてのＩサンプルおよびＱサンプルを生成するために別個に処理され（例えば、符号化され、シンボルマッピングされ、変調される）得る。各送信信号は、その送信信号についての出力ＲＦ信号を生成するために、それぞれの送信回路３４０によって調整され、それぞれのＰＡ ３６０によって増幅され得る。
【００２７】
[0034]  ＰＡは、変調されたＲＦ信号および電力供給電圧を受信し、出力ＲＦ信号を生成し得る。出力ＲＦ信号は通常、変調されたＲＦ信号を追跡し（track）、時間的に変化するエンベロープ（time-varying envelope）を有し得る。電力供給電圧は、出力ＲＦ信号をクリッピングすること（clipping）を避けるために、常に出力ＲＦ信号の大きさよりも大きいものでなければならず、それは、性能を低下させ得る相互変調ひずみ（intermodulation distortion）（ＩＭＤ）を引き起こし得る。電力供給電圧と出力ＲＦ信号のエンベロープとの間の差は、出力負荷へ搬送される代わりに、ＰＡによって浪費される無駄な電力を表わす。
【００２８】
[0035]  高い性能および高い効率が得られるように、ＰＡのための電力供給電圧を生成することが望ましいだろう。これは、電力供給電圧がＰＡからの出力ＲＦ信号のエンベロープをトラッキングすることができるように、電力トラッキングを用いてＰＡのための電力供給電圧を生成することによって達成され得る。
【００２９】
[0036]  図４は、各送信信号について別個のＰＡおよび別個の電力トラッキングを用いて複数（Ｋ個）の送信信号の同時送信をサポートする送信モジュール４００の一設計を示す。送信モジュール４００は、Ｋ個の送信信号を同時に処理することができるＫ個の送信機４３０ａ−４３０ｋを含み、各送信機４３０は、１つの送信信号を処理する。各送信機４３０は、送信回路４４０、ＰＡ ４６０、電力トラッキング供給ジェネレータ（a power tracking supply generator）４８０を含む。
【００３０】
[0037]  送信機４３０ａは、第１の送信信号についてのＩ１サンプルおよびＱ１サンプルを受信し、第１の送信信号についての第１の出力ＲＦ信号を生成する。Ｉ１サンプルおよびＱ１サンプルは、送信回路４４０ａおよび電圧ジェネレータ（voltage generator）４８０ａの両方に提供される。送信回路４４０ａ内で、Ｉ１サンプルおよびＱ１サンプルは、ＤＡＣ ４４２ａおよび４４３ａによって、それぞれＩアナログ信号およびＱアナログ信号に変換される。Ｉアナログ信号は、ローパスフィルタ４４４ａによってフィルタリングされ、増幅器（Ａｍｐ）４４６ａによって増幅され、またミキサ４４８ａによってベースバンドからＲＦへアップコンバートされる。同様に、Ｑアナログ信号は、ローパスフィルタ４４５ａによってフィルタリングされ、増幅器４４７ａによって増幅され、またミキサ４４９ａによってベースバンドからＲＦへアップコンバートされる。ミキサ４４８ａおよび４４９ａは、第１の送信信号の中心ＲＦ周波数においてＩ ＬＯ信号およびＱ ＬＯ信号（ＩＬＯ１およびＱＬＯ１）に基づいて、第１の送信信号のためにアップコンバージョンを行う。加算器４５０ａは、変調されたＲＦ信号を得るために、ミキサ４４８ａおよび４４９ａからのＩアップコンバートされた信号およびＱアップコンバートされた信号（Q upconverted signal）を合計し、それは、ＰＡ ４６０ａに提供される。
【００３１】
[0038]  電圧ジェネレータ４８０ａ内で、電力トラッカー４８２ａは、第１の送信信号についてのＩ１サンプルおよびＱ１サンプルを受信し、Ｉ１サンプルおよびＱ１サンプルに基づいて第１の送信信号の電力を計算し、ＤＡＣ ４８４ａにデジタル電力トラッキング信号を提供する。ＤＡＣ ４８４ａは、デジタル電力トラッキング信号をアナログに変換し、アナログ電力トラッキング信号を提供する。電力供給ジェネレータ４８６ａは、アナログ電力トラッキング信号を受信し、ＰＡ ４６０ａのために電力供給電圧を生成する。ＰＡ ４６０ａは、供給ジェネレータ（supply generator）４８６ａからの電力供給電圧を使用して、送信回路４４０ａからの変調されたＲＦ信号を増幅し、第１の送信信号についての第１の出力ＲＦ信号を提供する。
【００３２】
[0039]  各残りの送信機４３０は、それぞれの送信信号についてのＩサンプルおよびＱサンプルを同様に処理し、送信信号についての出力ＲＦ信号を提供し得る。Ｋ個以下のＰＡ ４６０ａ−４６０ｋは、同時に送られるＫ個以下の送信信号についての、異なるＲＦ周波数におけるＫ個以下の出力ＲＦ信号を提供し得る。加算器４６２は、同時に送られる出力ＲＦ信号を受信し、その出力ＲＦ信号を合計し、最終的な出力ＲＦ信号を提供し、それは、デュプレクサ４７０を通ってルーティングされ、またアンテナ４９０を介して送信される。
【００３３】
[0040]  図４に示されるように、電力トラッキングは、ＰＡ ４６０ａ−４６０ｋの効率を改善するために使用され得る。各送信信号は、ミキサ４４８および４４９、並びにＰＡ ４６０の別個のセットを使用して、それぞれの送信機４３０によって処理され得る。複数の送信信号は、異なる周波数（例えば、異なるキャリア）で送られ、そのため増加したエンベロープ帯域幅を有し得る。増加したエンベロープ帯域幅は、各送信信号のための別個の送信機４３０を使用することによってアドレスされ（addressed）得る。各送信機４３０は次に、１つの送信信号のエンベロープ帯域幅を処理し得る。しかしながら、複数の送信信号について同時に複数の送信機４３０を動作することは、より多くの回路、より高い電力消費、およびより高いコストをもたらし得、それら全ては望ましいものではない。
【００３４】
[0041]  本開示の態様では、電力トラッキングを用いた単一のＰＡは、同時に送られる複数の送信信号について単一の出力ＲＦ信号を生成するために使用される。単一の電力供給電圧は、同時に送られる全ての送信信号の電力をＰＡがトラッキングするように生成され得る。これは、回路コンポーネントの数を低減させ、電力消費を低減させ、また他の利点を提供し得る。
【００３５】
[0042]  図５は、全ての送信信号について、単一のＰＡおよび電力トラッキングを用いて複数（Ｋ個）の送信信号の同時送信をサポートする送信モジュール５００の一設計を示す。送信モジュール５００は、アナログ領域において各送信信号についての周波数アップコンバージョンを別個に行い、全ての送信信号についての結果として生じる（resultant）アップコンバートされたＲＦ信号を合計する。送信モジュール５００は、Ｋ個の送信信号を同時に処理することができるＫ個の送信回路５４０ａ−５４０ｋを含み、各送信回路５４０は、１つの送信信号を処理する。送信モジュール５００はさらに、加算器５５２、ＰＡ ５６０、デュプレクサ５７０、電力トラッキング供給ジェネレータ５８０を含む。
【００３６】
[0043]  送信回路５４０ａは、第１の送信信号についてのＩ１サンプルおよびＱ１サンプルを受信し、第１の送信信号についての第１のアップコンバートされたＲＦ信号を生成する。Ｉ１サンプルおよびＱ１サンプルは、送信回路５４０ａと電圧ジェネレータ５８０ａとの両方に提供される。送信回路５４０ａ内で、Ｉ１サンプルおよびＱ１サンプルは、ＤＡＣ ５４２ａおよび５４３ａによって、それぞれＩアナログ信号およびＱアナログ信号に変換される。Ｉアナログ信号およびＱアナログ信号は、ローパスフィルタ５４４ａおよび５４５ａによってフィルタリングされ、増幅器５４６ａおよび５４７ａによって増幅され、ミキサ５４８ａおよび５４９ａによってベースバンドからＲＦへアップコンバートされ、第１のアップコンバートされたＲＦ信号を生成するために加算器５５０ａによって合計される。ミキサ５４８ａおよび５４９ａは、第１の送信信号の中心ＲＦ周波数においてＩ ＬＯ信号およびＱ ＬＯ信号に基づいて、第１の送信信号についてのアップコンバージョンを行う。
【００３７】
[0044]  各残りの送信回路５４０は、それぞれの送信信号についてのＩサンプルおよびＱサンプルを同様に処理し、その送信信号についてのアップコンバートされたＲＦ信号を提供し得る。Ｋ個以下の送信回路５６０ａ−５６０ｋは、同時に送られるＫ個以下の送信信号について、異なるＲＦ周波数においてＫ個以下のアップコンバートされたＲＦ信号を提供し得る。加算器５５２は、送信回路５４０ａ−５４０ｋからアップコンバートされたＲＦ信号を受信し、アップコンバートされたＲＦ信号を合計し、変調されたＲＦ信号をＰＡ ５６０に提供する。
【００３８】
[0045]  電圧ジェネレータ５８０内で、電力トラッカー５８２は、同時に送られる全ての送信信号についてのＩ１サンプル−ＩＫサンプル、およびＱ１サンプル−ＱＫサンプルを受信する。電力トラッカー５８２は、これらの送信信号についてのＩサンプルおよびＱサンプルに基づいて全ての送信信号の全体の電力（overall power）を計算し、ＤＡＣ ５８４にデジタル電力トラッキング信号を提供する。ＤＡＣ ５８４ａは、デジタル電力トラッキング信号をアナログに変換し、全ての送信信号についてのアナログ電力トラッキング信号を提供する。図５では図示されていないが、ローパスフィルタはＤＡＣ ５８４からの出力信号を受信およびフィルタリングし、アナログ電力トラッキング信号を提供し得る。電力供給ジェネレータ５８６は、アナログ電力トラッキング信号を受信し、ＰＡ ５６０のための電力供給電圧を生成する。
【００３９】
[0046]  ＰＡ ５６０は、供給ジェネレータ５８６からの電力供給電圧を使用して、加算器５５２からの変調されたＲＦ信号を増幅する。ＰＡ ５６０は同時に送られる全ての送信信号についての出力ＲＦ信号を提供する。出力ＲＦ信号は、デュプレクサ５７０を通ってルーティングされ、アンテナ３９０を介して送信される。
【００４０】
[0047]  図６は、全ての送信信号について、単一のＰＡおよび電力トラッキングを用いて複数（Ｋ個）の送信信号の同時送信をサポートする送信モジュール５０２の一設計を示す。送信モジュール５０２は、各送信信号をデジタル領域において中間周波数（ＩＦ）にデジタルにアップコンバートし、全ての送信信号についての結果として生じるアップコンバートされたＩＦ信号を合計し、アナログ領域において、全ての送信信号についてのＩＦからＲＦへの周波数アップコンバージョンを一緒に行う。送信モジュール５０２は、デジタル変調器５２０、送信回路５４０、ＰＡ ５６０、デュプレクサ５７０、および電力トラッキング供給ジェネレータ５８０を含む。
【００４１】
[0048]  デジタル変調器５２０は、全ての送信信号についてのＩサンプルおよびＱサンプルを受信し、全ての送信信号についての変調されたＩＦ信号を生成する。デジタル変調器５２０内で、第１の送信信号についてのＩ１サンプルおよびＱ１サンプルは、デジタルＬＯ信号ＣＩ１およびＣＱ１）に基づいて、それぞれ乗算器５２２ａおよび５２３ａによって第１のＩＦ周波数にアップコンバートされる。各残りの送信信号についてのＩサンプルおよびＱサンプルは、その送信信号について、それぞれ乗算器５２２および５２３によって、異なるＩＦ周波数にアップコンバートされる。Ｋ個の送信信号のＩＦ周波数は、Ｋ個の送信信号の最後のＲＦ周波数に基づいて選択され得る。加算器５２４は、全てのＫ個の乗算器５２２ａ−５２２ｋの出力を合計し、Ｉ変調信号（an I modulated signal）を提供する。同様に、加算器５２５は、全てのＫ個の乗算器５２３ａ−５２３ｋの出力を合計し、Ｑ変調信号（a Q modulated signal）を提供する。加算器５２４および５２５からのＩ変調信号およびＱ変調信号は、全ての送信信号についての変調されたＩＦ信号を形成する。
【００４２】
[0049]  送信回路５４０は、デジタル変調器５２０からＩ変調信号およびＱ変調信号を受信し、全ての送信信号についての変調されたＲＦ信号を生成する。送信回路５４０内で、Ｉ変調信号およびＱ変調信号は、ＤＡＣ ５４２および５４３によって、それぞれＩアナログ信号およびＱアナログ信号に変換される。Ｉアナログ信号およびＱアナログ信号は、ローパスフィルタ５４４および５４５によってフィルタリングされ、増幅器５４６および５４７によって増幅され、ミキサ５４８および５４９によってＩＦからＲＦへアップコンバートされ、また変調されたＲＦ信号を生成するために加算器５５０によって合計される。ミキサ５４８および５４９は、Ｋ個の送信信号がそれらの適切なＲＦ周波数にアップコンバートされるように、適した周波数でＩ ＬＯ信号およびＱ ＬＯ信号に基づいて、変調されたＩＦ信号についてアップコンバージョンを行う。
【００４３】
[0050]  電力トラッキング電圧ジェネレータ（power tracking voltage generator）５８０は、同時に送られる全ての送信信号についてのＩ１−ＩＫサンプル、およびＱ１−ＱＫサンプルを受信する。電圧ジェネレータ５８０は、ＩサンプルおよびＱサンプルに基づいて、ＰＡ ５６０のための電力供給電圧を生成する。ＰＡ ５６０は、供給ジェネレータ５８０からの電力供給電圧を使用して、送信回路５４０からの変調されたＲＦ信号を増幅する。ＰＡ ５６０は、同時に送られる全ての送信信号についての出力ＲＦ信号を提供する。出力ＲＦ信号は、デュプレクサ５７０を通ってルーティングされ、アンテナ５９０を介して送信される。
【００４４】
[0051]  図５および図６は、全ての送信信号について単一のＰＡおよび電力トラッキングを用いて複数の送信信号の送信を同時にサポートする送信モジュールの２つの例示的な設計を示す。複数の送信信号はまた、他の方法で単一のＰＡおよび電力トラッキングを用いて送られ得る。例えば、ポーラ変調（polar modulation）は、図５および図６において示される直交変調（quadrature modulation）の代わりに使用され得る。
【００４５】
[0052]  電力トラッカー５８２は、様々な方法で、全ての送信信号についてのＩサンプルおよびＱサンプルに基づいてデジタル電力トラッキング信号を計算し得る。１つの設計では、デジタル電力トラッキング信号は、下記のように計算され得る。  
【数１】
0006490596.tif 000002
【００４６】
ここで、Ｉｋ（ｔ）およびＱｋ（ｔ）は、ｋ＝１，．．．，Ｋに対するサンプル期間ｔにおけるｋ番目の送信信号についてのＩサンプルおよびＱサンプルを示し、ｐ（ｔ）は、サンプル期間ｔにおけるデジタル電力トラッキング信号を示す。
【００４７】
[0053]  Ｉｋ２（ｔ）＋Ｑｋ２（ｔ）の数量は、サンプル期間ｔにおけるｋ番目の送信信号の電力を示す。式（１）で示される設計では、全ての送信信号の電力が全体の電力を得るために合計される。デジタル電力トラッキング信号は、次に全体の電力の平方根をとる（take）ことによって得られる。√Ｋのスケーリングファクタは、電力と電圧との間の変換を説明する（account for）。
【００４８】
[0054]  別の設計では、デジタル電力トラッキング信号は、下記のように計算され得る。  
【数２】
0006490596.tif 000003
【００４９】
[0055]  
【数３】
0006490596.tif 000004
【００５０】
の数量は、サンプル期間ｔにおけるｋ番目の送信信号の電圧を示す。式（２）において示される設計では、各送信信号の電圧が最初に計算され、次に全ての送信信号の電圧が、デジタル電力トラッキング信号を得るために合計される。
【００５１】
[0056]  式（１）および（２）は、同時に送られる全ての送信信号についてのＩおよびＱサンプルに基づいて、デジタル電力トラッキング信号を計算する２つの例示的な設計である。式（１）または（２）で計算されるデジタル電力トラッキング信号は、（同時に送られる全ての送信信号の全体の帯域幅の代わりに）最も広い送信信号の帯域幅に近い帯域幅を有する。変調帯域幅よりも小さい電力トラッキング信号の帯域幅を有することは、より効率的である電力トラッキング回路を可能にし、また電力供給（power supply）を介してＰＡ ５６０に投入されるより小さいノイズをもたらし得る。
【００５２】
[0057]  デジタル電力トラッキング信号はまた、例えば他の式または関数に基づく別の方法で、送信信号のＩサンプルおよびＱサンプルに基づいて計算され得る。１つの設計では、デジタル電力トラッキング信号は、例えば式（１）または（２）に示されるような何らのフィルタリングを行わずに、全ての送信信号についてのＩサンプルおよびＱサンプルに基づいて生成され得る。別の設計では、デジタル電力トラッキング信号は、例えば、送信回路５４０内のローパスフィルタ５４４および５４５と同様の特性を有するローパスフィルタを用いてフィルタリングされ得る。
【００５３】
[0058]  １つの設計では、デジタル電力トラッキング信号は、同時に送られる送信信号の数に関わらず、同じ方法で（例えば、同じ式に基づいて）計算され得る。別の設計では、デジタル電力トラッキング信号は、同時に送られる送信信号の数に依存して、異なる方法で（例えば、異なる式に基づいて）計算され得る。デジタル電力トラッキング信号はまた、異なる送信信号の送信電力レベルなどの他の要因に依存して、異なる方法で計算され得る。
【００５４】
[0059]  複数の送信信号についての電力トラッキング供給電圧を生成するための本明細書で説明される技法は、様々な変調技術に使用され得る。例えば、本技法は、直交周波数分割多重（ＯＦＤＭ）、ＳＣ−ＦＤＭＡ、ＣＤＭＡ、またはいくつかの他の変調技法を使用して、同時に送られる複数の送信信号についての電力トラッキング供給電圧を生成するために使用され得る。本技法はまた、同時に送られるかなり多数の送信信号についてのトラッキング電力供給電圧を生成するために使用され得る。
【００５５】
[0060]  図７は、例えば、図２Ｂに示される不連続的な帯域内ＣＡについて、ＳＣ−ＦＤＭＡを用いて２つの不連続的なキャリア上で送られる２つの送信信号に対する電力トラッキングの一例を示す。２つの送信信号は、２５ＭＨｚのギャップで分離された２つのキャリア上で送られ、各キャリアは、１０ＭＨｚの帯域幅を有する。プロット７１０は、２つの送信信号を備え、図５または６におけるＰＡ ５６０によって提供される、出力ＲＦ信号を示す。プロット７１２は、図５または６における電力トラッカー５８２によって提供される電力トラッキング信号を示す。電力トラッキング信号は、式（１）に従って２つの送信信号についてのＩサンプルおよびＱサンプルに基づいて計算され得る。図７Ａに示されるように、電力トラッキング信号は、出力ＲＦ信号のエンベロープに密接に従う（closely follow）。そのため、ＰＡ ５６０について高い性能および高い効率が達成され得る。
【００５６】
[0061]  図７Ｂは、例えば不連続的な帯域内ＣＡについて、ＯＦＤＭを用いて３つの不連続的なキャリア上で送られる３つの送信信号に対する電力トラッキングの一例を示す。３つの送信信号は、３つのキャリア上で送られ、各キャリアは、５ＭＨｚの帯域幅を有し、別のキャリアに対して１５ＭＨｚのギャップで分離される。プロット７２０は、３つの送信信号を備え、図５または６におけるＰＡ ５６０によって提供される、出力ＲＦ信号を示す。プロット７２２は、図５または６における電力トラッカー５８２によって提供される電力トラッキング信号を示す。電力トラッキング信号は、式（１）に従って３つの送信信号についてのＩサンプルおよびＱサンプルに基づいて計算される。図７Ｂに示されるように、電力トラッキング信号は、出力ＲＦ信号のエンベロープに従う。そのため、ＰＡ ５６０について高い性能および高い効率が達成され得る。
【００５７】
[0062]  電力トラッキング供給電圧もまた、ＣＤＭＡを用いて複数のキャリア上で送られる複数の送信信号のために生成され得ることが示され得る。通常、電力トラッキング供給電圧は、例えば図７Ａに示されるように、２つの送信信号が同時に送られる場合に、出力ＲＦ信号のエンベロープに密接に従い得る。電力トラッキング供給電圧は、例えば図７Ｂに示されるように２つを上回る送信信号が同時に送られる場合に、出力ＲＦ信号のエンベロープに近くなる。
【００５８】
[0063]  電力供給ジェネレータ５８６は、様々な方法で電力トラッキング信号に基づいてＰＡ ５６０のために電力供給電圧を生成し得る。電力供給ジェネレータ５８６は、ワイヤレスデバイス１１０のバッテリ電力を節約するために、効率の良い方法で電力供給電圧を生成するべきである。
【００５９】
[0064]  図８は、図５および６における電力供給ジェネレータ５８６の一設計を示す。この設計では、電力供給ジェネレータ５８６は、電力トラッキング増幅器（ＰＴ Ａｍｐ）８１０、スイッチャ（a switcher）８２０、ブーストコンバータ（a boost converter）８３０、およびインダクタ８２２を含む。スイッチャ８２０はまた、スイッチングモード電源（a switching-mode power supply）（ＳＭＰＳ）とも呼ばれ得る。スイッチャ８２０は、バッテリ電圧（ＶＢＡＴ）を受信し、ノードＡにおいてＤＣおよび低周波数成分を備える第１の供給電流（supply current）（ＩＳＷ）を提供する。インダクタ８２２は、スイッチャ８２０からの電流を格納し、格納された電流を交互の周期で（on alternating cycles）ノードＡに提供する。ブーストコンバータ８３０は、ＶＢＡＴ電圧を受信し、ＶＢＡＴ電圧より高いブーストされた供給電圧（a boosted supply voltage）（ＶＢＯＯＳＴ）を生成する。電力トラッキング増幅器８１０は、それの信号入力においてアナログ電力トラッキング信号を受信し、それの２つの電力供給入力（power supply inputs）においてＶＢＡＴ電圧およびＶＢＯＯＳＴ電圧を受信し、ノードＡにおいて高周波数成分を備える第２の供給電流（ＩＰＴ）を提供する。電力増幅器５６０に提供されるＰＡ供給電流（ＩＰＡ）は、スイッチャ８２０からのＩＳＷ電流および電力トラッキング増幅器８１０からのＩＰＴ電流を含む。電力トラッキング増幅器８１０はまた、ＰＡ ５６０のために、ノードＡにおいて適切なＰＡ供給電圧（ＶＰＡ）を提供する。電力供給ジェネレータ５８６内の様々な回路が下記でさらに詳細に説明される。
【００６０】
[0065]  図９は、図８における電力供給ジェネレータ内の電力トラッキング増幅器８１０およびスイッチャ８２０の一設計の回路図を示す。電力トラッキング増幅器８１０内で、演算増幅器（オペアンプ（ｏｐ−ａｍｐ））９１０は、電力トラッキング信号を受信するそれの非反転入力（non-inverting input）と、（ノードＸである）電力トラッキング増幅器８１０の出力に結合されたそれの反転入力（inverting input）と、クラスＡＢドライバー９１２の入力に結合されたそれの出力とを有する。ドライバー９１２は、Ｐ型金属酸化膜半導体（ＰＭＯＳ）トランジスタ９１４のゲートに結合されたそれの第１の出力（Ｒ１）と、Ｎ型金属酸化膜半導体（ＮＭＯＳ）トランジスタ９１６のゲートに結合されたそれの第２の出力（Ｒ２）とを有する。ＮＭＯＳトランジスタ９１６は、ノードＸに結合されたそれのドレインと、回路接地に結合されたそれのソースとを有する。ＰＭＯＳトランジスタ９１４は、ノードＸに結合されたそれのドレインと、ＰＭＯＳトランジスタ９１８および９２０のドレインに結合されたそれのソースとを有する。ＰＭＯＳトランジスタ９１８は、Ｃ１制御信号を受信するそれのゲートと、ＶＢＯＯＳＴ電圧を受信するそれのソースとを有する。ＰＭＯＳトランジスタ９２０は、Ｃ２制御信号を受信するそれのゲートと、ＶＢＡＴ電圧を受信するそれのソースとを有する。
【００６１】
[0066]  電流センサー８２４は、ノードＸとノードＡとの間で結合され、電力トラッキング増幅器８１０によって提供されるＩＰＴ電流を感知する。センサー８２４は、ノードＡにＩＰＴ電流の大部分を渡し、感知された電流（ＩＳＥＮ）としてＩＰＴ電流のごく少数をスイッチャ８２０に提供する。
【００６２】
[0067]  スイッチャ８２０内で、電流センス増幅器（a current sense amplifier）９３０は、電流センサー８２４に結合されたそれの入力と、スイッチャドライバー９３２の入力に結合されたそれの出力とを有する。ドライバー９３２は、ＰＭＯＳトランジスタ９３４のゲートに結合されたそれの第１の出力（Ｓ１）と、ＮＭＯＳトランジスタ９３６のゲートに結合されたそれの第２の出力（Ｓ２）とを有する。ＮＭＯＳトランジスタ９３６は、（ノードＹである）スイッチャ８２０の出力に結合されたそれのドレインと、回路接地に結合されたそれのソースとを有する。ＰＭＯＳトランジスタ９３４は、ノードＹに結合されたそれのドレインと、ＶＢＡＴ電圧を受信するそれのソースとを有する。インダクタ８２２は、ノードＡとノードＹとの間で結合される。
【００６３】
[0068]  スイッチャ８２０は、下記のように動作する。スイッチャ８２０は、電流センサー８２４が電力トラッキング増幅器８１０からの高い出力電流を感知する場合にオン状態（an ON state）となり、ドライバー９３２に低い感知された電圧を提供する。ドライバー９３２はその後、ＰＭＯＳトランジスタ９３４のゲートに低い電圧を提供し、ＮＭＯＳトランジスタ９３６のゲートに低い電圧を提供する。ＰＭＯＳトランジスタ９３４がターンオンされ（turned ON）、ＶＢＡＴ電圧をインダクタ８２２に結合し、それはＶＢＡＴ電圧からのエネルギを格納する。オン状態の間、インダクタ８２２を流れる電流が上昇し、その上昇のレート（the rate of the rise）は、（i）ノードＡにおけるＶＰＡ電圧とＶＢＡＴ電圧との間の差、および、（ii）インダクタ８２２のインダクタンス、に依存する。反対に、スイッチャ８２０は、電流センサー８２４が電力トラッキング増幅器８１０からの低い出力電流を感知する場合に、オフ状態（an OFF state）となり、ドライバー９３２に高い感知された電圧を提供する。ドライバー９３２はその後、ＰＭＯＳトランジスタ９３４のゲートに高い電圧を提供し、ＮＭＯＳトランジスタ９３６のゲートに高い電圧を提供する。ＮＭＯＳトランジスタ９３６がターンオンされ、インダクタ８２２がノードＡと回路接地との間で結合される。オフ状態の間、インダクタ８２２を通る電流が下降し、その下降のレート（the rate of the fall）は、ノードＡにおけるＶＰＡ電圧およびインダクタ８２２のインダクタンスに依存する。従って、ＶＢＡＴ電圧は、オン状態の間はインダクタ８２２を介してＰＡ ５６０に電流を提供し、インダクタ１２０は、オフ状態の間はＰＡ ５６０にそれの格納されたエネルギを提供する。
【００６４】
[0069]  電力トラッキング増幅器８１０は、下記のように動作する。電力トラッキング信号が増加するとき、オペアンプ９１０の出力は増加し、ＮＭＯＳトランジスタ９１６がほぼターンオフされるまでドライバー９１２のＲ２出力は低減され、ドライバー９１２のＲ１出力が低減され、電力トラッキング増幅器８１０の出力は増加する。電力トラッキング信号が低減するときには、逆のことが当てはまる。電力トラッキング増幅器８１０の出力からオペアンプ９１０の反転入力（inverting input）への負帰還は、電力トラッキング増幅器８１０が単位利得（unity gain）を有することを結果としてもたらす。そのため、電力トラッキング増幅器８１０の出力は、電力トラッキング信号に従い（follow）、ＶＰＡ電圧は電力トラッキング信号とほぼ等しい。ドライバー９１２は、たとえトランジスタ９１４と９１６におけるバイアス電流が低いとしても、大きな出力電流が供給され得るように、効率を改善するためにクラスＡＢの増幅器で実装され得る。
【００６５】
[0070]  １つの設計では、電力トラッキング増幅器８１０は、必要なときのみＶＢＯＯＳＴ電圧に基づいて、また効率を改善するために残り時間中にＶＢＡＴ電圧に基づいて動作する。例えば、電力トラッキング増幅器８１０は、ＶＢＡＴ電圧に基づいて、電力の約８５％を提供し、ＶＢＯＯＳＴ電圧に基づいて、電力の約１５パーセントのみを提供し得る。出力ＲＦ信号の大きなエンベロープに起因して、高いＶＰＡ電圧がＰＡ ５６０に必要とされるとき、Ｃ１制御信号は論理ローであり（is at logic low）、Ｃ２制御信号は論理ハイである（is at logic high）。この場合、ブーストコンバータ８３０が使用可能にされてＶＢＯＯＳＴ電圧を生成し、ＰＭＯＳトランジスタ９１８がターンオンされてＰＭＯＳトランジスタ９１４のソースにＶＢＯＯＳＴ電圧を提供し、ＰＭＯＳトランジスタ９２０がターンオフされる。反対に、ＰＡ ５６０のために高いＶＰＡ電圧が必要とされないとき、Ｃ１制御信号は論理ハイであり、Ｃ２制御信号は論理ローである。この場合、ブーストコンバータ８３０が無効にされ、ＰＭＯＳトランジスタ９１８がターンオフされ、ＰＭＯＳトランジスタ９２０がターンオンされてＰＭＯＳトランジスタ９１４のソースにＶＢＡＴ電圧を提供する。
【００６６】
[0071]  制御信号ジェネレータ９４０は、電力トラッキング信号およびＶＢＡＴ電圧を受信し、Ｃ１およびＣ２制御信号を生成する。Ｃ１制御信号は、Ｃ２制御信号を補足する。１つの設計では、ジェネレータ９４０は、電力トラッキング信号の大きさが第１の閾値を超えるときに、電力トラッキング増幅器９１０に対するＶＢＯＯＳＴ電圧を選択するために、Ｃ１およびＣ２制御信号を生成する。第１の閾値は、固定された閾値であるか、またはＶＢＡＴ電圧に基づいて決定され得る。別の設計では、ジェネレータ９４０は、電力トラッキング信号の大きさが第１の閾値を超えるときに、およびＶＢＡＴ電圧が第２の閾値を下回るときに、電力トラッキング増幅器９１０のためのＶＢＯＯＳＴ電圧を選択するために、Ｃ１およびＣ２制御信号を生成する。ジェネレータ９４０はまた、Ｃ１およびＣ２信号を、他の信号、他の電圧、および／または他の基準に基づいて生成し得る。
【００６７】
[0072]  スイッチャ８２０は、高い効率を有し、ＰＡ ５６０のために供給電流の大部分を配信する。電力トラッキング増幅器８１０は、線形的段階（a linear stage）として動作し、相対的に高い帯域幅（例えば、ＭＨｚの範囲内）を有する。スイッチャ８２０は、電力トラッキング増幅器８１０からの出力電流を低減するように動作し、それは全体の効率を改善する。
【００６８】
[0073]  図９は、図１におけるスイッチャ８２０および電力トラッキング増幅器８１０の例示的な設計を示す。スイッチャ８２０および電力トラッキング増幅器８１０はまた、他の方法においても実装され得る。例えば、電力トラッキング増幅器８１０は、２００１年１０月９日に出願された、「Apparatus and Method for Efficiently Amplifying Wideband Envelope Signals」と題された米国特許第６，３００，８２６号において説明されるように実装され得る。
【００６９】
[0074]  別の例示的な設計では、装置（例えば、集積回路、ワイヤレスデバイス、回路モジュールなど）は、電力トラッカーおよび電力供給ジェネレータを備え得る。電力トラッカー（例えば、図５における電力トラッカー５８２）は、同時に送られる複数の送信信号のＩ成分およびＱ成分（例えば、ＩサンプルおよびＱサンプル）に基づいて、電力トラッキング信号を決定し得る。電力供給ジェネレータ（例えば、図５における電力供給ジェネレータ５８６）は、電力トラッキング信号に基づいて電力供給電圧を生成し得る。
【００７０】
[0075]  １つの設計では、電力トラッカーは、例えばＩ１２（ｔ）＋Ｑ１２（ｔ）＋．．．＋Ｉｋ２（ｔ）＋Ｑｋ２（ｔ）として、複数の送信信号のＩ成分およびＱ成分に基づいて複数の送信信号の全体の電力を決定し得る。電力トラッカーは次に、例えば式（１）において示されるように、複数の送信信号の全体の電力に基づいて電力トラッキング信号を決定し得る。別の設計では、電力トラッカーは、例えば、ｋ番目の送信信号についてのＩｋ２（ｔ）＋Ｑｋ２（ｔ）として、その送信信号のＩ成分およびＱ成分に基づいて、各送信信号の電力を決定し得る。電力トラッカーは次に、例えば式（２）で示されるように、複数の送信信号の電力に基づいて電力トラッキング信号を決定し得る。電力トラッカーは、例えば、
【数４】
0006490596.tif 000005
【００７１】
として、送信信号の電力に基づいて各送信信号の電圧を決定し得る。電力トラッカーは次に、例えば式（２）において示されるように、複数の送信信号の電圧に基づいて電力トラッキング信号を決定し得る。電力トラッカーはまた、他の方法で複数の送信信号のＩ成分およびＱ成分に基づいて電力トラッキング信号を決定し得る。１つの設計では、複数の送信信号は、異なる周波数において複数のキャリア上で送られ得る。電力トラッキング信号は、複数のキャリアの全体の帯域幅よりも小さい帯域幅を有し得る。
【００７２】
[0076]  １つの設計では、装置は、例えば、図５において示されるように、複数の送信回路および加算器を備え得る。複数の送信回路（例えば、送信回路５４０ａ−５４０ｋ）は、複数の送信信号のＩ成分およびＱ成分を受信し、複数のアップコンバートされたＲＦ信号を提供し得る。各送信回路は、１つの送信信号のＩ成分およびＱ成分をアップコンバートし、対応するアップコンバートされたＲＦ信号を提供し得る。加算器（例えば、加算器５５２）は、複数のアップコンバートされたＲＦ信号を合計し、変調されたＲＦ信号を提供し得る。別の設計では、装置は、複数の送信信号についての変調されたＩＦ信号を受信し、変調されたＲＦ信号を提供し得る送信回路（例えば、図６における送信回路５４０）を備え得る。変調されたＩＦ信号は、複数の送信信号のＩ成分およびＱ成分に基づいて生成され得る（例えば、図６におけるデジタル変調器５２０によって）。例示的な設計では、装置はさらに、電力供給電圧に基づいて変調されたＲＦ信号を増幅し、出力ＲＦ信号を提供し得るＰＡ（例えば、図５および６におけるＰＡ ５６０）を備え得る。
【００７３】
[0077]  例示的な設計では、電力供給ジェネレータは、電力トラッキング信号を受信し、電力供給電圧を生成し得る電力トラッキング増幅器（例えば、図８および９における電力トラッキング増幅器８１０）を備え得る。電力供給ジェネレータはさらに、スイッチャおよび／またはブーストコンバータを備え得る。スイッチャ（例えば、図８および９におけるスイッチャ８２０）は、電力トラッキング増幅器からの第１の電流（例えば、ＩＰＴ電流）を感知し、感知された第１の電流に基づいて電力供給電圧のための第２の電流（例えば、ＩＳＷ電流）を提供し得る。ブーストコンバータ（例えば、図８および９におけるブーストコンバータ８３０）は、バッテリ電圧を受信し、電力トラッキング増幅器のためのブーストされた電圧（a boosted voltage）を提供し得る。電力トラッキング増幅器は、ブーストされた電圧またはバッテリ電圧に基づいて動作し得る。
【００７４】
[0078]  図１０は、電力トラッキングを用いた電力供給電圧を生成するための処理１０００の一設計を示す。電力トラッキング信号は、同時に送られる複数の送信信号のＩ成分およびＱ成分に基づいて決定され得る（ブロック１０１２）。ブロック１０１２の１つの設計では、複数の送信信号の全体の電力は、複数の送信信号のＩ成分およびＱ成分に基づいて決定され得る。電力トラッキング信号は次に、例えば式（１）で示されるように、複数の送信信号の全体の電力に基づいて決定され得る。ブロック１０１２の別の設計では、各送信信号の電力は、送信信号のＩ成分およびＱ成分に基づいて決定され得る。電力トラッキング信号は次に、例えば式（２）で示されるように、複数の送信信号の電力に基づいて決定され得る。
【００７５】
[0079]  電力供給電圧は、電力トラッキング信号に基づいて生成され得る（ブロック１０１４）。１つの設計では、電力供給電圧は、電力トラッキング信号をトラッキングする増幅器（例えば、図９における増幅器８１０）を用いて生成され得る。電力供給電圧はまた、スイッチャおよび／またはブーストコンバータに基づいて生成され得る。
【００７６】
[0080]  変調されたＲＦ信号は、複数の送信信号のＩ成分およびＱ成分に基づいて生成され得る（ブロック１０１６）。１つの設計では、各送信信号のＩ成分およびＱ成分は、対応するアップコンバートされたＲＦ信号を得るためにアップコンバートされ得る。複数の送信信号についての複数のアップコンバートされたＲＦ信号は次に、例えば図５で示されるように、変調されたＲＦ信号を得るために合計され得る。別の設計では、変調されたＩＦ信号は、例えば図６で示されるように、複数の送信信号のＩ成分およびＱ成分に基づいて生成され得る。変調されたＩＦ信号は次に、変調されたＲＦ信号を得るためにアップコンバートされ得る。どんな場合でも、変調されたＲＦ信号は、出力ＲＦ信号を得るために電力供給電圧に基づいて動作するＰＡ（例えば、図５および６におけるＰＡ ５６０）を用いて増幅され得る（ブロック１０１８）。
【００７７】
[0081]  本明細書で説明される電力トラッカーおよび電力供給ジェネレータは、ＩＣ、アナログＩＣ、ＲＦＩＣ、混合信号ＩＣ、ＡＳＩＣ、プリント回路基板（ＰＣＢ）、電子デバイスなど上に実装され得る。電力トラッカーおよび電力供給ジェネレータはまた、相補型金属酸化膜半導体（ＣＭＯＳ：complementary metal oxide semiconductor）、ＮＭＯＳ、ＰＭＯＳ、バイポーラ接合型トランジスタ（ＢＪＴ）、バイポーラＣＭＯＳ（ＢｉＣＭＯＳ）、シリコンゲルマニウム（ＳｉＧｅ）、ヒ化ガリウム（ＧａＡｓ）などの、様々なＩＣ処理技術を用いて組み立てて製造され（fabricated with）得る。
【００７８】
[0082]  本明細書で説明される電力トラッカーおよび／または電力供給ジェネレータを実装する装置は、独立型デバイスであり得るか、より大きいデバイスの一部であり得る。デバイスは、（i）独立型ＩＣ、（ii）データおよび／または命令を記憶するためのメモリＩＣを含み得る１つまたは複数のＩＣのセット、（iii）ＲＦ受信機（ＲＦＲ）またはＲＦ送信機／受信機（ＲＴＲ）などのＲＦＩＣ、（iv）移動局モデム（ＭＳＭ）などのＡＳＩＣ、（v）他のデバイス内に組み込まれ得るモジュール、（vi）受信機、セルラフォン、ワイヤレスデバイス、ハンドセット、またはモバイルユニット、（vii）その他、であり得る。
【００７９】
[0083]  １つまたは複数の例示的な設計では、説明された機能は、ハードウェア、ソフトウェア、ファームウェア、またはそれらの任意の組み合わせで実装され得る。ソフトウェアで実装される場合に、機能は、１つまたは複数の命令またはコードとして、コンピュータ読取可能媒体上に記憶され得るか、またはそれ上に送信され得る。コンピュータ読取可能媒体は、１つの場所から別の場所へコンピュータプログラムの転送を容易にする任意の媒体を含む通信媒体とコンピュータ記憶媒体との両方を含む。記憶媒体は、コンピュータによってアクセスできるいずれかの利用可能な媒体であり得る。限定ではなく例として、このようなコンピュータ読取可能媒体は、ＲＡＭ、ＲＯＭ、ＥＥＰＲＯＭ（登録商標）、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用可能であり、かつコンピュータによってアクセスされ得る任意の他の媒体を備え得る。また、任意の接続は、コンピュータ読取可能媒体と厳密には呼ばれ得る。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他の遠隔ソースから送信される場合には、この同軸ケーブル、光ファイバーケーブル、ツイストペア、ＤＳＬ、または赤外線、無線、およびマイクロ波のなどのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は通常、磁気的にデータを再生するのに対し、ディスク（discs）はレーザーを用いて光学的にデータを再生する。上記の組み合わせもまた、コンピュータ読取可能媒体の範囲内に含まれるべきである。
【００８０】
[0084]  本開示の先の説明は、当業者が本開示を実行または使用することを可能にするために提供される。本開示への様々な修正は、当業者にとって容易に明らかであり、本明細書に定義された一般的な原理は、本開示の範囲から逸脱することなく、他のバリエーションにも適用され得る。よって、本開示は、本明細書で説明される例および設計に限定されることを意図するものではなく、本明細書で開示される原理および新規な特徴と合致する最も広い範囲が与えられるべきものである。
以下に、本願出願の当初の特許請求の範囲に記載された発明を付記する。
［Ｃ１］ 装置であって、
同時に送られる複数の送信信号の同相（Ｉ）成分および直交（Ｑ）成分に基づいて電力トラッキング信号を決定するように構成された電力トラッカーと、
前記電力トラッキング信号に基づいて電力供給電圧を生成するように構成された電力供給ジェネレータと
を備える、装置。
［Ｃ２］ 前記電力トラッカーは、
前記複数の送信信号の前記Ｉ成分およびＱ成分に基づいて前記複数の送信信号の全体の電力を決定することと、
前記複数の送信信号の前記全体の電力に基づいて前記電力トラッキング信号を決定することと、
を行うように構成される、Ｃ１に記載の装置。
［Ｃ３］ 前記電力トラッカーは、
前記送信信号のＩ成分およびＱ成分に基づいて前記複数の送信信号における各送信信号の電力を決定することと、
前記複数の送信信号の電力に基づいて前記電力トラッキング信号を決定することと、
を行うように構成される、Ｃ１に記載の装置。
［Ｃ４］ 前記電力トラッカーは、
前記送信信号のＩ成分およびＱ成分に基づいて前記複数の送信信号における各送信信号の電力を決定することと、
前記送信信号の前記電力に基づいて各送信信号の電圧を決定することと、
前記複数の送信信号の電圧に基づいて前記電力トラッキング信号を決定することと、
を行うように構成される、Ｃ１に記載の装置。
［Ｃ５］ 前記電力供給電圧に基づいて、変調された無線周波数（ＲＦ）信号を増幅し、出力ＲＦ信号を提供するように構成された電力増幅器（ＰＡ）
をさらに備える、Ｃ１に記載の装置。
［Ｃ６］ 前記複数の送信信号の前記Ｉ成分およびＱ成分を受信し、複数のアップコンバートされたＲＦ信号を提供するように構成された複数の送信回路と、ここで、各送信回路は、前記複数の送信信号のうちの１つの信号のＩ成分およびＱ成分をアップコンバートし、対応するアップコンバートされたＲＦ信号を提供するように構成される、
前記複数のアップコンバートされたＲＦ信号を合計し、前記変調されたＲＦ信号を提供するように構成された加算器と
をさらに備える、Ｃ５に記載の装置。
［Ｃ７］ 前記複数の送信信号についての変調された中間周波数（ＩＦ）信号を受信し、前記変調されたＲＦ信号を提供するように構成された送信回路
をさらに備え、
前記変調されたＩＦ信号は、前記複数の送信信号の前記Ｉ成分およびＱ成分に基づいて生成される、
Ｃ５に記載の装置。
［Ｃ８］ 前記電力供給ジェネレータは、
前記電力トラッキング信号を受信し、前記電力供給電圧を生成するように構成された電力トラッキング増幅器
を備える、Ｃ１に記載の装置。
［Ｃ９］ 前記電力供給ジェネレータはさらに、
前記電力トラッキング増幅器からの第１の電流を感知し、前記感知された第１の電流に基づいて前記電力供給電圧のために第２の電流を提供するように構成されたスイッチャ
を備える、Ｃ８に記載の装置。
［Ｃ１０］ 前記電力供給ジェネレータはさらに、
バッテリ電圧を受信し、前記電力トラッキング増幅器のためにブーストされた電圧を提供するように構成されたブーストコンバータ
を備える、Ｃ８に記載の装置。
［Ｃ１１］ 前記電力トラッキング増幅器は、前記ブーストされた電圧または前記バッテリ電圧に基づいて動作する、Ｃ１０に記載の装置。
［Ｃ１２］ 前記複数の送信信号は、異なる周波数において複数のキャリア上で送られる、Ｃ１に記載の装置。
［Ｃ１３］ 前記電力トラッキング信号は、前記複数のキャリアの全体の帯域幅よりも小さい帯域幅を有する、Ｃ１２に記載の装置。
［Ｃ１４］ 方法であって、
同時に送られる複数の送信信号の同相（Ｉ）成分および直交（Ｑ）成分に基づいて電力トラッキング信号を決定することと、
前記電力トラッキング信号に基づいて電力供給電圧を生成することと
を備える、方法。
［Ｃ１５］ 前記電力トラッキング信号を前記決定することは、
前記複数の送信信号の前記Ｉ成分およびＱ成分に基づいて前記複数の送信信号の全体の電力を決定することと、
前記複数の送信信号の前記全体の電力に基づいて前記電力トラッキング信号を決定することと、
を備える、Ｃ１４に記載の方法。
［Ｃ１６］ 前記電力トラッキング信号を前記決定することは、
前記送信信号のＩ成分およびＱ成分に基づいて前記複数の送信信号における各送信信号の電力を決定することと、
前記複数の送信信号の電力に基づいて前記電力トラッキング信号を決定することと、
を備える、Ｃ１４に記載の方法。
［Ｃ１７］ 前記複数の送信信号の前記Ｉ成分およびＱ成分に基づいて変調された無線周波数（ＲＦ）信号を生成することと、
出力ＲＦ信号を得るために、前記電力供給電圧に基づいて動作する電力増幅器（ＰＡ）を用いて前記変調されたＲＦ信号を増幅することと
をさらに備える、Ｃ１４に記載の方法。
［Ｃ１８］ 前記変調されたＲＦ信号を前記生成することは、
対応するアップコンバートされたＲＦ信号を得るために、前記複数の送信信号の各々のＩ成分およびＱ成分をアップコンバートすることと、
前記変調されたＲＦ信号を得るために、前記複数の送信信号についての複数のアップコンバートされたＲＦ信号を合計することと
を備える、Ｃ１７に記載の方法。
［Ｃ１９］ 装置であって、
同時に送られる複数の送信信号の同相（Ｉ）成分および直交（Ｑ）成分に基づいて電力トラッキング信号を決定するための手段と、
前記電力トラッキング信号に基づいて電力供給電圧を生成するための手段と
を備える、装置。
［Ｃ２０］ 前記電力トラッキング信号を前記決定するための手段は、
前記複数の送信信号の前記Ｉ成分およびＱ成分に基づいて前記複数の送信信号の全体の電力を決定するための手段と、
前記複数の送信信号の前記全体の電力に基づいて前記電力トラッキング信号を決定するための手段と、
を備える、Ｃ１９に記載の装置。
［Ｃ２１］ 前記電力トラッキング信号を前記決定するための手段は、
前記送信信号のＩ成分およびＱ成分に基づいて前記複数の送信信号における各送信信号の電力を決定するための手段と、
前記複数の送信信号の電力に基づいて前記電力トラッキング信号を決定するための手段と、
を備える、Ｃ１９に記載の装置。
［Ｃ２２］ 前記複数の送信信号の前記Ｉ成分およびＱ成分に基づいて変調された無線周波数（ＲＦ）信号を生成するための手段と、
出力ＲＦ信号を得るために、前記電力供給電圧を使用して前記変調されたＲＦ信号を増幅するための手段と
をさらに備える、Ｃ１９に記載の装置。
［Ｃ２３］ 前記変調されたＲＦ信号を前記生成するための手段は、
対応するアップコンバートされたＲＦ信号を得るために、前記複数の送信信号の各々のＩ成分およびＱ成分をアップコンバートするための手段と、
前記変調されたＲＦ信号を得るために、前記複数の送信信号についての複数のアップコンバートされたＲＦ信号を合計するための手段と
を備える、Ｃ２２に記載の装置。
［Ｃ２４］ コンピュータプログラム製品であって、
少なくとも１つのコンピュータに、同時に送られる複数の送信信号の同相（Ｉ）成分および直交（Ｑ）成分に基づいて電力トラッキング信号の決定を指示することを行わせるためのコードと、
前記少なくとも１つのコンピュータに、前記電力トラッキング信号に基づいて電力供給電圧の生成を指示することを行わせるためのコードと
を備える非一時的なコンピュータ読取可能媒体、
を備える、コンピュータプログラム製品。
【図１】
0006490596.tif 000006
【図２Ａ】
0006490596.tif 000007
【図２Ｂ】
0006490596.tif 000008
【図２Ｃ】
0006490596.tif 000009
【図２Ｄ】
0006490596.tif 000010
【図３】
0006490596.tif 000011
【図４】
0006490596.tif 000012
【図５】
0006490596.tif 000013
【図６】
0006490596.tif 000014
【図７Ａ】
0006490596.tif 000015
【図７Ｂ】
0006490596.tif 000016
【図８】
0006490596.tif 000017
【図９】
0006490596.tif 000018
【図１０】
0006490596.tif 000019